(57)【特許請求の範囲】
【請求項１】
それぞれ前後方向に延びる複数本の剛性の細線と、上記各細線に対して少なくとも二点で交差して上記各細線の両端を前後に突出させた状態で連結した一本以上の線材からなる環状の連結部材と、両側の上記細線の前後を互いに接続する補助連結部材と、で構成した植毛フレームと、
上記補助連結部材に取り付けられて上記植毛フレームを頭部に固定保持する止着部材と、
上記植毛フレームに取り付けた多数の植毛と、を備え、
上記細線の間から使用者の自毛を引き出して、上記細線に取り付けた植毛と絡め合わせることにより装着されることを特徴とする、自毛活用型かつら。
【請求項２】
前記各細線が、周縁にてそれぞれ異なる長さを有していることを特徴とする、請求項１に記載の自毛活用型かつら。
【請求項３】
前記各細線が、周縁領域の少なくとも前額部及び後頭部の部分にて、互いにほぼ平行に延びていることを特徴とする、請求項１又は２に記載の自毛活用型かつら。
【請求項４】
前頭部側に配置された前記各細線が、使用者の整髪された髪型の毛流方向に沿って延びていることを特徴とする、請求項１〜３の何れかに記載の自毛活用型かつら。
【請求項５】
後頭部側に配置された前記各細線が、使用者の自毛の毛流の方向に沿って延びていることを特徴とする、請求項１〜４の何れかに記載の自毛活用型かつら。
【請求項６】
前記各細線が弾性を備えた剛性材料から成ると共に、周縁領域の少なくとも前額部及び後頭部の部分にて、頭形状に沿って湾曲して前方及び後方へ延びていることを特徴とする、請求項１〜５の何れかに記載の自毛活用型かつら。
【請求項７】
前記各細線が剛性を備えた合成繊維糸で成り、頭形状に沿って湾曲して成形されていることを特徴とする、請求項１〜６の何れかに記載の自毛活用型かつら。
【請求項８】
前記各細線が、剛性を備えた合成繊維糸と該合成繊維糸の表面を被ったネット部材とから成り、頭形状に沿って湾曲して成形されていることを特徴とする、請求項１〜７の何れかに記載の自毛活用型かつら。
【請求項９】
前記連結部材を、前記各細線に対して交差して溶着により連結することを特徴とする、請求項１〜８の何れかに記載の自毛活用型かつら。
【請求項１０】
前記細線が、その先端に毛髪取付用のループを備えていることを特徴とする、請求項１〜９の何れかに記載の自毛活用型かつら。
【請求項１１】
前記ループが、頭皮面に平行に配置されていることを特徴とする、請求項１０に記載の自毛活用型かつら。
【請求項１２】
前記ループが、頭皮面に垂直に配置されていることを特徴とする、請求項１０に記載の自毛活用型かつら。
【請求項１３】
前記細線が熱収縮性のチューブで被われていることを特徴とする、請求項１〜１２の何れかに記載の自毛活用型かつら。
【請求項１４】
前記チューブが、少なくとも前記細線の先端部を隠蔽する長さの突出部を備え、該突出部に植毛が施されることを特徴とする、請求項１３に記載の自毛活用型かつら。
【請求項１５】
それぞれ前後方向に延びる複数本の剛性の細線と、上記各細線に対して少なくとも二点で交差して上記各細線の両端を前後に突出させた状態で連結した一本以上の線材からなる環状の連結部材と、両側の上記細線の前後を互いに接続する補助連結部材と、で構成した植毛フレームと、上記補助連結部材に取り付けられて上記植毛フレームを頭部に固定保持する止着部材と、上記植毛フレームに取り付けられた多数の植毛と、を備えた自毛活用型かつらの製造方法であって、
上記植毛フレームのパターンに沿って刻設した石膏頭型の溝に上記細線及び上記連結部材をはめ込んでセットした状態で、所定の温度で所定時間加熱することにより上記植毛フレームを成形し、該植毛フレームに多数の毛髪を植設することを特徴とする、自毛活用型かつらの製造方法。
【発明の詳細な説明】
【０００１】
【発明の属する技術分野】
この発明は、頭髪を植毛フレームの間から外方へ引き出して植毛フレームに植設された毛髪と混合するようにした自毛活用型のかつら及びその製造方法に関する。
【０００２】
【従来の技術】
従来のかつらは、一般に、かつらの全体形状を画成するかつらベースに多数の毛髪を植設して形成されるが、このうち自毛活用型のかつらは、かつらベースに複数の孔又は網目を形成して、その孔又は網目から自毛を引き出すようにしており、例えば図１０に示すように構成されている。
図１０に示す自毛活用型のかつら１は、かつらベースとして目の粗い網地により形成したネット２を使用しており、そのネット形状は図示のような菱形状の他、矩形状或いは六角形状などのクロス目を有するものが知られている。
このようにクロスさせて縦横に配置したネット２には、予め毛髪３（図面には一部の毛髪だけが示されている。）が多数植設されており、かつらを頭部に取り付けるときに、クロス目の空間から整髪用ブラシ等を用いて自毛を引き出し、次いで引き出した自毛を植設された毛髪３と絡み合わせることにより、自毛を活用してかつら１を装着するようにしている。
【０００３】
【発明が解決しようとする課題】
しかしながら、このように構成された自毛活用型のかつら１においては、整髪用ブラシを用いて自毛を引き出す際に、自毛が縦横のネット２に圧迫され、このうちの多くの自毛がネット２のクロス目に挟まったままとなって、引出し作業を容易に行なうことができず、十分な量の自毛をクロス目の空間から引き出すことができない。
また、ブラシの櫛歯先端が網目内に入ると、引っかかりが発生しやすく、ブラシを引き抜くことが困難となり、この状態から無理にブラシを引き抜くと、無理な力が加わることになってネット２が切れてしまったり、ブラシが破損したりすることがあった。
【０００４】
ところで、自毛活用型のかつらベースにあってはいずれも、ネット２を縦横に張設してその状態を保持する必要があるため、ネット２によるかつらベースの周縁が、かつらの形状とサイズを画成する周縁枠部材４によって補強されなければならない。この周縁枠部材４は、かつらベースの型くずれを防ぐため、周縁部が幅広の布テープやレースで縁取りするか或いは樹脂コーティングなどで比較的肉厚に且つ剛性に縁取り形成されている。このように従来では、周縁枠部材４はかつらベースにとって必須の構成部材とならざるを得ず、ネット２及びこの周縁枠部材４により使用者の自毛を押さえ付けるようにしてかつら１を装着せざるを得なかった。
そのため、頭皮からの発汗作用が妨げられると共に、特に前額部においては、周縁枠部材４が前額部の生え際に沿って横方向に配置されることになるため、もともと周縁枠部材４が横線状に露顕し易い構造になっていることに加え、使用者の自毛の生え際がかつら１と馴染まず、かつら１の前縁が浮き上がり易く、不自然な状態になってしまうことから、かつらの周縁が視認されやすかった。また、後頭部においては、かつら１の周縁が浮き上がることによりかつら１の毛髪３と使用者の自毛との間で段差が生じて、その境目が周縁に沿って段状の横筋となって顕れ、かつらを装着していることが容易に視認されてしまう。
【０００５】
この発明は以上の点にかんがみて、周縁枠部材を廃止することにより、周縁が容易に視認されることなく且つ容易に自毛を引き出すことができ、かつら装着者の自毛を有効に利用し全体として毛量を豊かにし得る、自毛活用型のかつらを提供することを目的としている。
【０００７】
【課題を解決するための手段】
上記目的を達成するため、この発明に係る自毛活用型かつらは、それぞれ前後方向に延びる複数本の剛性の細線と、各細線に対して少なくとも二点で交差して各細線の両端を前後に突出させた状態で連結した一本以上の線材からなる環状の連結部材と、両側の細線の前後を互いに接続する補助連結部材と、で構成した植毛フレームと、補助連結部材に取り付けられて植毛フレームを頭部に固定保持する止着部材と、植毛フレームに取り付けた多数の植毛と、を備え、細線の間から使用者の自毛を引き出して、細線に取り付けた植毛と絡め合わせることにより装着されるようにしている。
【０００８】
この発明による自毛活用型かつらは、好ましくは、前記各細線が、弾性及び剛性を備えた材料から成ると共に、周縁領域の少なくとも前額部及び後頭部の部分にて、頭形状に沿って湾曲して前方及び後方へ延びている。
この発明による自毛活用型かつらは、好ましくは、前記各細線が、周縁にてそれぞれ異なる長さを有している。また、これらの細線は、使用者の自毛の毛流の方向に沿って延びるか、使用者の整髪された髪型の毛流方向沿いに延びている。また、前記各細線は、好ましくは、周縁領域の少なくとも前額部及び後頭部の部分にて、互いにほぼ平行に延びている。
各細線は、好ましくは剛性の合成繊維糸、例えばナイロン糸で頭形状に沿って湾曲して成形されており、さらに好ましくは該合成繊維糸はネット部材で被われて該ネット部材に多数の毛髪が取り付けられる。
さらに、各細線を連結する連結部材は、好ましくは、各細線に対して交差して溶着、接着又は結着等により連結され、各細線は一本以上の連結部材により少なくとも二点で交差して連結される。
また前記細線の先端に、毛髪取付用のループを設けるようにすれば好ましい。
このループは、頭皮面に平行に配置するか、又は、頭皮面に垂直に配置するように形成することができる。
前記細線に、熱収縮性のチューブを被覆するようにすればさらに好ましい。
このチューブは、好ましくは、少なくとも前記細線の先端部を隠蔽する長さの突出部を備え、この突出部に植毛が施されるようになっている。
【０００９】
さらに、本発明は、それぞれ前後方向に延びる複数本の剛性の細線と、各細線に対して少なくとも二点で交差して各細線の両端を前後に突出させた状態で連結した一本以上の線材からなる環状の連結部材と、両側の細線の前後を互いに接続する補助連結部材と、で構成した植毛フレームと、補助連結部材に取り付けられて植毛フレームを頭部に固定保持する止着部材と、植毛フレームに取り付けられた多数の植毛と、を備えた自毛活用型かつらの製造方法であって、植毛フレームのパターンに沿って刻設した石膏頭型の溝に細線及び連結部材をセットした状態で、所定の温度で所定時間加熱することにより植毛フレームを成形し、得られた植毛フレームに多数の毛髪を植設するようにしたものである。
【００１０】
上記構成によれば、例えば特に前額部（以下、フロント部と称する。）において、植毛フレームがそれぞれ前方へ延びる複数本の細線から構成され、これらの細線に多数の毛髪が植設されているので、細線の間は外側に向かって開放している。したがって、かつら装着時に細線の間から使用者の自毛を引き出すとき、ブラシや櫛を使用して外側に向かって移動させることにより、ブラシや櫛が植毛フレームに引っかかることなく自毛を容易に引き出すことができる。このため、例えばフロント部において細線が後方から前方側へ互いにほぼ平行に延びて配設されている場合には、自毛を後方へかきあげて細線に取り付けた植毛とミックスすることにより、オールバックスタイルに整髪することができる。
本発明では、前額部の生え際に沿った周縁枠部材が存在しないので、毛髪を後方にかきあげて上記オールバックスタイルに仕上げても、かつらが露顕することがない。すなわち、第三者がかつら使用者に対峙したときでも、植毛フレームを構成する細線が前後方向に並置されその径方向で第三者に対峙することになるので、植毛フレームの長さ方向で露顕することがないため、かつらを装着していることがわからない。また、後頭部においても、細線が並列して毛流方向に沿って配置されているだけであるから、周縁に沿った周縁枠部材が存在しないので周縁枠部材による段状の横筋が顕れず、植毛と自毛との馴染みがよく自然な外観を呈することができる。
【００１１】
これにより、かつらの周縁付近、特にフロント部において使用者の自毛がほぼ１００％近く引き出されて、植毛フレームの細線に取り付けた植毛と絡め合わせることができる。したがって、細線が配設される領域においては、使用者の頭皮での発汗作用が妨げられず、生え際を含めた使用者の自毛を十分に活用することができると共に、かつらの周縁特にフロント部が浮き上がるようなことはなく、使用者の自毛の生え際がかつらと良好に馴染んで、違和感なく自然な状態とすることができる。
【００１２】
上記各細線が周縁にてそれぞれ異なる長さを有している場合には、各細線の先端同士が画成する植毛フレームの周縁が不揃いになるため、かつら装着時の植毛フレームの周縁がより一層目立たなくなる。
上記各細線が、使用者の自毛の毛流の方向に沿って、または使用者の整髪された髪型の毛流方向に沿って延びている場合には、かつら装着時の使用者の自毛または整髪後の毛流方向に沿ってブラシや櫛により使用者の自毛を引き出す際に、ブラシや櫛そして自毛が上記細線と絡むことがなく、自毛を容易に引き出すことができる。
また、上記細線の先端にループを備えている場合や、熱収縮性のチューブが芯材としての細線のまわりを被っている場合には、細線の先端まで毛髪を取り付けることができるので、先端の切り口を確実に目立たなくすることができる。
【００１３】
【発明の実施の形態】
以下、図面に示した実施形態に基づいてこの発明を詳細に説明する。
図１はこの発明による自毛活用型かつらの一実施形態を示している。
図１において、自毛活用型かつら１０は、上側が前額部に対応し下側が後頭部に対応しており、全体が使用者の頭部の薄毛部分を覆う形状及びサイズとなるよう部分かつらとして形成されている。この実施形態の自毛活用型かつら１０は、基本的には複数本の細線１３を縦方向（使用者の頭部の前後方向）に配置し、この細線１３に多数の毛髪１２を取り付けることにより形成されている。図１では、植毛フレーム１１を明瞭に表わすために毛髪１２のごく一部のみが示されているが、実際には植毛フレーム１１の全体に亘って所定の毛量及び毛流となるように、植毛フレーム１１の一側に外方へ突出させて緻密に取り付けられている。ここで、細線１３に取り付けられる毛髪１２は人毛に限らず各種の人工毛髪が適用でき、以下、使用者の頭部に自生する自毛と区別するため、植毛１２と称する。
【００１４】
上記植毛フレーム１１は、図示の場合上下方向、即ち、前述したように使用の際の使用者の頭部の前後方向に互いにほぼ平行に延びる複数本の細線１３と、周縁より内側にて環状に形成されると共に各細線１３と少なくとも一点、好ましくは二点で交差する連結部材１４と、さらに両側の細線１３ａの前後を互いに接続する補助連結部材１５とを含んでいる。
【００１５】
各細線１３は弾性及び剛性を有すると共に、使用者の頭皮を傷つけるおそれがなく、またドライヤ等の熱の影響を受けにくい材料、例えばナイロン，ポリエステル等の合成樹脂，金属，紙，ゴム，木，竹，ネット，ガラス，カーボン等の弾性及び剛性を備えた材料、好ましくは頭皮の形状に沿って湾曲した形状記憶樹脂から構成されており、例えば０．１〜３．０ｍｍ程度の太さに形成されている。この細線１３には多数の毛髪１２が取り付けられるので、その全体重量に抗して頭部形状に沿った湾曲状態を維持できる程度の剛性と弾力性を有する材料で構成されるのが好ましい。
各細線１３はかつらの前額部及び後頭部付近、特に前額部付近において、各細線の先端により画成される周縁が不揃いとなるように互いに異なる長さを有していて、前額部から後頭部へ向けて並んで適宜の本数で配置される。好ましくは、中央の細線１３の先端を最も突出させ、左右に位置する細線を徐々に引っ込めるように配置すれば、一般的なヘアラインに沿った配置となる。この細線１３は使用者の自毛の粗密の程度によりその数を適宜増減することができる。
【００１６】
ここで、各細線１３には、例えば０．０５乃至０．２ｍｍ程度の太さの人毛または化繊の毛髪１２を直接に結着しあるいは巻き付けて接着し、多数本を所定の方向に突出させて取り付ける。
細線１３が合成樹脂で形成した平滑な糸でなる場合は、取り付けた毛髪１２が滑って移動してしまわないよう、図２に示すように、細線１３に例えばレーステープなどのネット材１６等を巻き付けて、これらのネット材１６等に毛髪１２を結着するようにしてもよい。この場合、ネット材１６等を細線１３の先端まで被うようにしておけば、毛髪１２をこの細線１３の先端にも取り付け得るので前額部の迷彩が向上する。その際、細線１３の先端をテーパを付けて尖らせ、この尖った先端までネット材１６等を巻いていけば先端部が太くならずに済む。
さらに、ネット材１６に代えて、ウレタン素材などの他のフィルム状又は薄いシート状のテープを細線１３に接着剤を用いて接着しながら巻いて、このテープに毛髪１２を結着又は植設するようにしてもよい。
【００１７】
ここで、ほぼ平行に配置された複数本の細線１３を連結するために、連結部材１４が用いられる。この連結部材１４は、縦方向に並置した複数本の細線１３がばらけないよう、例えば中央で横方向に１本の剛性の線材を配置することにより各細線１３の交点と少なくとも一点で連結固定される。この線材を２本横架することにより細線１３がそれぞれ二点で連結され、各細線１３がより強固に保形される。
図１に示す実施の態様では、上記連結部材１４及び補助連結部材１５が、細線１３との交差部においてそれぞれ各細線１３に対して結着，溶着，接着等により少なくとも二点で固定されている。これら連結部材１４及び補助連結部材１５は細線１３と同じ材料から構成されることができる。
【００１８】
本実施の態様では、連結部材１４は略楕円形の環状に形成されて各細線１３の中心部近傍に配置されている。連結部材１４のサイズは、細線の前後が連結されて束縛されずに十分な長さに突出するように、なるべく小径のサイズに形成されるのが有利である。このため、連結部材１４は剛性に富むアイロン等の合成樹脂材料や、硬質プラスチック材などで形成するのがよい。連結部材１４を略楕円形の環状に形成した場合、頭形の湾曲形状に沿うので浮き上がりが生じにくいが、連結部材１４を略矩形その他の形状に形成して、その浮き上がり防止を工夫するようにしても勿論構わない。
【００１９】
本実施の態様では、両サイドに湾曲した補助連結部材１５を連結している。これにより、かつらの型がより強固に保持され、とくに頭部の左右両サイドへの密着が向上する。また、図１に鎖線で示すように、この補助連結部材１５を利用して自毛活用型かつら１０を頭部に固定保持するための止着部材１７を取り付けるようにすることもできる。
【００２０】
この発明による自毛活用型かつら１０は以上のように構成されており、装着の場合には、図３に示すように、先ず上記自毛活用型かつら１０を使用者の頭に載せて位置合わせし、植毛フレーム１１の周縁付近に付設した適宜の止着部材１７を用いて使用者の自毛に係着する。止着部材１７としては、例えば反転可能な基材に多数の櫛歯を設けた特公昭５４−１６７８５号公報に記載の挟着具が好適に用いられ、または両面テープや液状の医療用瞬間接着剤等を適用することにより使用者の頭部に固定するようにしてもよい。
【００２１】
続いて、自毛の引出し作業を行なう。この場合、かつら１０を頭の上から一方の手で押さえつつ、ブラシまたは櫛等を用いて頭部前方から後方にかけてブラッシングすることにより、植毛フレーム１１の連結部材１４から前方に突出した細線１３の前端部の間に抑え込まれている自毛Ｈを細線１３の間から上方に引き出すことができる。
【００２２】
この際、各細線１３がブラッシング方向に沿って互いに平行に延びていることから、ブラッシング中にブラシや櫛が細線１３に引っかかるようなことはなく、また自毛Ｈが細線１３に絡まるようなこともなく、ほぼ１００％近くの自毛Ｈを簡単に細線１３の間から引き出すことができる。したがって、ブラシが破損したり、植毛フレーム１１が切れるようなことはない。ブラッシングにより細線１３がたとえ上方へ浮いたとしても、細線１３が形状復元性がある形状記憶樹脂材などで成形されていると頭形に沿った元の形状にすぐに復元する。
【００２３】
そして、上述のように自毛Ｈをかつら１０の植毛フレーム１１の外面に引き出したところで、整髪用ブラシ等により軽くブラッシングして、自毛Ｈと植設された毛髪１２とを絡み合わせながら所望の髪型に整髪することにより、かつらの装着が完了する。
【００２４】
このようにして使用者の頭部に装着されたかつら１０は、その周縁には従来のかつらベースの外形を画成するような周縁枠部材がなく、互いに平行に延びる細線１３が在るだけであるので、自毛と植設された植毛１２とが相互の絡み合いによって互いに良好に馴染むことになり、かつら１０の周縁、特に前額部及び後頭部において、植毛フレーム１０の使用者の頭部からの浮上りが低減される。また特に前額部においては、細線１３の径方向が直面することになるので、長さが不揃いであることと相俟つて、使用者の自毛の生え際が自然に見えると共に、かつらの周縁が視認されにくくなる。また後頭部においては、かつら１０の毛髪１２と使用者の自毛との間の段差が解消し、かつらの周縁が視認されにくい。
したがって、本発明実施形態による自毛活用型かつら１０は、男性用かつら，女性用かつらそしてヘアピースに適用可能であり、何れの場合にも自毛との馴染み、生え際の違和感のない自然さにより、自毛を十分に生かすことができると共に、かつらの視認性が低減され、さらに自毛の引出しが容易になる。
【００２５】
なお、上述した実施形態においては、植毛フレーム１１全体が、細線１３及び連結部材１４、補助連結部材１５から構成されているが、これに限らず、例えば環状の連結部材１４の内側が、従来のかつらと同様にネットにより構成されていてもよい。
この場合、かつらの前額部及び後頭部付近では細線１３が互いに平行に延びており、その長さが不揃いであることによって、同様に使用者の生え際や後頭部でのかつらの視認性が低減され得ることになる。
【００２６】
また、上述した実施形態においては連結部材１４は環状に形成されているが、これに限らず、前述のように複数本の細線１３を互いに固定保持するように少なくとも一本の連結部材が備えられていればよい。
【００２７】
さらに、上述した実施形態においては、細線１３は前後方向に延びているが、これに限らず、細線は、使用者の自毛の毛流の方向あるいは整髪に沿って、または使用者の整髪された髪型の毛流方向に沿って延びるように配置構成することもできる。
この場合、毛流方向へのブラッシングによって自毛の引出しを容易に行なうことができると共に、ブラシや櫛がブラッシングの際に細線に引っかかることがない。
【００２８】
次に、本自毛活用型かつらの製造方法について説明する。
最初に、細線１３を使用して植毛フレーム１１を形成する。この場合、図４に示すように石膏を用いて頭部形状を模した石膏頭型２０を成形し、この石膏頭型２０の表面の所定部位に、作製しようとする所望の植毛フレーム１１のパターンに沿った溝２０ａを刻設する。所定の植毛フレーム１１のパターンに対応する溝２０ａを刻設した後、図５に示すように、例えばナイロン素材の細線１３をこの溝２０ａ中にはめ込む。この際、図示の実施例では、最初に環状の連結部材１４をはめ込んで、その上から順次、所定本数の細線１３をはめ込んでいく。
【００２９】
次に、この状態で全体を加熱器へ収容し、例えば１００℃〜２００℃の範囲で数十分の加熱処理を施す。細線１３がナイロン樹脂の場合は、例えば１５０℃程度で３０分〜５０分間程度加熱すればよい。その後、冷却し、石膏頭型２０より各細線１３と連結部材１４を取り出すと、頭型の湾曲状に沿って湾曲した植毛フレーム材が成形される。この各細線１３と連結部材１４を超音波溶着又は接着，結着等することにより、石膏頭型パターンに沿った湾曲した植毛フレーム１１が製作される。
最後に、装着者の髪型に沿うよう、植毛フレーム１１の全体に毛髪１２を取り付けていくことにより、本発明の自毛活用型かつらが完成する。
このようにして、植毛フレーム１１の成形，製作を行なうと、使用者の頭形状にぴったりと沿った、浮き上がりの生じ難い植毛フレーム１１を簡便に製造することができる。
【００３０】
次に、上記細線１３の他の実施例について説明する。
図６（ａ）及び（ｂ）は、それぞれ細線１３の先端にループ１３ａを形成し、このループ１３ａに植毛した状態を示す部分拡大斜視図である。すなわち、細線１３にはその先端にループ１３ａが取り付けらる。このループ１３ａは、１本の線材の一端を細線１３の先端部に添着し、その中間を細線の先端から突出させて環（ループ）を作った後、他端を細線１３の先端部に巻回し結着したうえで、接着剤で固定することにより形成されている。
このループ１３ａは、例えば細線１３と同様の素材で形成することができ、弾性及び剛性を有するとともに、ドライヤ等の影響を受けにくい材料、例えばナイロンやポリエステルなどの合成樹脂，金属，カーボンなどの弾性及び剛性を備えた材料から構成される。好ましくは、ループ１３ａを構成する線材は細線１３より小径のものが選択される。
【００３１】
上記ループ１３ａは、図６（ａ）に示すように、頭皮面に平行に配設することができる。このように頭皮面に平行に配設することにより、より多くの自毛に絡み合わせることができ、前額部の毛量を一層増加させることができる。
【００３２】
上記ループ１３ａは、また、図６（ｂ）に示すように、頭皮面に垂直に配設することができる。このように頭皮面に垂直に配設することにより、前額部の毛髪を後方へかき上げたときに上方向に厚みがでて一層のボリューム感を出すことができる。また、前方から見た場合、横方向の長さが線材の直径分の幅と極めて小径で済むため、図６（ａ）に示す平行配置のものに比してより視認しにくい利点がある。
【００３３】
ここで、図７（ａ）及び（ｂ）は図６に示す細線の上記した方法と若干異なる製造方法を説明するための部分拡大側面図であり、この例では、ナイロンなどの細線材を用いて、細線１３の先端部分にループ状の輪が形成されるように、細線材の両端を細線１３の先端部分の側面に添えて、例えば、その上を糸線１３ｂで巻き付け、超音波或いは接着剤などで接着することで形成している。
【００３４】
ところで、前額部にある髪を持ち上げたときに、細線１３の先端の切り口部分（先端に露呈する断面）が視認され得るが、上述のように、細線１３の先端にループ１３ａを形成することにより、皮膚に接する場所から毛が生えているように見えて、先端の切り口を確実に目立たないようにすることができる。
【００３５】
また、図８（ａ）及び（ｂ）に示すようにして、ループ１１３ａを形成することができる。すなわち、一本のナイロン等の糸線を結んで、図８（ａ）に示すような輪を形成し、図８（ｂ）に示すようにその糸線の端を細線１３の先端に当てて例えば接着することで、ループ１１３ａを細線１３の先端に形成している。
【００３６】
次に、さらに他の実施形態を図９を参照しつつ説明する。この例では、細線を芯材２１３ａとして、その全周囲に熱収縮性チューブ２１３ｂを被覆することにより、細線２１３としている。図９（ａ）は熱収縮性チューブ２１３ｂで被われた芯材２１３ａの構成例を示す部分拡大側断面図、図９（ｂ）は図９（ａ）のＡ−Ａ断面図、図９（ｃ）は図９（ａ）のＢ−Ｂ断面図である。
このような熱収縮性チューブ２１３ｂ（以下、チューブと言う）で被われた芯材２１３ａはその先端まで、同様に被われていて突出部２１３ｃが形成されている。この状態で、突出部２１３ｃを含む熱収縮性チューブ２１３ｂの全体に毛髪を１２を植設する。これにより、細線２１３の先端部が毛髪１２で覆われることになるので、一層視認されにくい。なお、上記の説明では、細線２１３を熱収縮性チューブ２１３ｂで被覆する例を示したが、連結部材１４及び補助連結部材１５も同様に熱収縮性チューブ２１３ｂで被覆し得るのは勿論である。熱収縮性チューブ２１３ｂは好ましくは、黒または乳白色或いは頭皮と同系統の着色とすれば、頭髪及び植毛に隠蔽されて一層露顕されにくい。
【００３７】
図９に示す細線２１３を製造する場合、熱収縮する前のチューブ２１３ｂに芯材２１３ａを差し込んで、１００℃〜１０５℃の温度範囲で数十分程度加熱処理を施すことで、チューブ２１３ｂが芯材２１３ａに密着して、図９（ｂ）に示すような状態に形成される。この際、チューブ２１３ｂの収縮状態で、芯材２１３ａの長さより長く形成することによって、突出部２１３ｃを形成することができる。
なお、熱収縮性チューブ２１３ｂは、ポリオレフィン或いはポリエチレンなどで形成され、１００℃〜１０５℃で少なくとも径方向に４０パーセント及びチューブの軸方向に大きくとも１５パーセント程度の収縮特性を有する。また、芯材２１３ａとしては、チューブ２１３ｂよりも変形温度が高いものを用いるのが好ましい。
【００３８】
このような細線２１３は、表面が弾性のゴム質であるため毛髪１２を先端まで容易に取り付けることができ、植毛作業効率が大きく向上する。
連結部材１４、補助連結部材１５を細線２１３と同様、芯材２１３ａと熱収縮性チューブ２１３ｂとで構成した場合、各チューブ同士を繋ぎ合わせる交点は、接着剤にて相互を接着することができる。これにより強固に連結できる。
このように細線２１３を用いた自毛活用型かつらによれば、細線２１３の先端まで容易に毛髪１２を取り付けることができ、また、チューブ２１３ｂを芯材２１３ａよりも長く形成することで、前額部にある髪を持ち上げたときに、皮膚に接する場所から毛が生えているように見えて先端の切り口を確実に目立たないようにすることができる。
【００３９】
【発明の効果】
以上述べたように、この発明によれば、特にフロント部において、植毛フレームが互いに平行に延びる複数本の細線から構成されており、これらの細線上に多数の毛髪が植設されているので、細線の間は外側に向かって開放している。したがって、かつら装着時に、細線の間から使用者の自毛を引き出すとき、ブラシや櫛を使用して外側に向かって移動させることにより、自毛を植毛フレームに引っかかることなく容易に引き出すことができる。
これにより、かつらの周縁付近、特にフロント部にて、使用者の自毛がほぼ１００％近く引き出されて、植毛フレームの細線上に植設された毛髪と絡め合わせることができる。したがって、細線が配設される領域においては、使用者の頭皮での発汗作用が妨げられず、生え際を含めた使用者の自毛を十分に活用することができると共に、かつらの周縁特にフロント部が浮き上がるようなことはなく、使用者の自毛の生え際がかつらと良好に馴染んで、違和感なく自然な状態とすることができる。
【００４０】
本発明では、植毛フレームが毛流方向に沿って前後方向に延びているだけであって、かつらベースの基本構成となる周縁枠部材が存在しない。従って、前額部の生え際（ヘアライン）に沿って横方向の筋が顕れることがないので、使用者は安心して自毛及び植毛を後方へかきあげて、バックスタイルを楽しむことができることになる。
このようにして、本発明によれば、周縁が容易に視認されることなく自毛の引出しが容易に行なわれるようにした、極めて優れた自毛活用型のかつらが提供される。
また、上記細線の先端がループを設けている場合や、熱収縮性のチューブが芯材としての細線のまわりを被っている場合には、細線の先端まで毛髪を取り付けることができるので、先端の切り口を確実に目立たなくすることができる。
【図面の簡単な説明】
【図１】本発明による自毛活用型かつらの一実施形態の構成を示す概略平面図である。
【図２】図１のかつらにおける細線への毛髪の植設状態を示す部分拡大側面図である。
【図３】図１のかつらを使用者の頭部に取り付けた状態を示す斜視図である。
【図４】本発明による自毛活用型かつらの製造方法の一例を示し、植毛フレームの成形工程を示す斜視図である。
【図５】図４に示す石膏頭型へ細線をセットした状態の断面図である。
【図６】（ａ）及び（ｂ）は本発明の他の実施形態を示し、細線の先端に形成したループへの植毛状態を示す部分拡大斜視図である。
【図７】（ａ）及び（ｂ）は、図６に示す細線の製造方法の一例を説明するための部分拡大側面図である。
【図８】（ａ）及び（ｂ）は、図６に示す細線の製造方法の別の例を説明するための部分拡大側面図である。
【図９】（ａ）は本発明のさらに他の実施形態を示し、芯材を熱収縮性のチューブで被覆することにより形成した細線を示す部分拡大側面図、（ｂ）は（ａ）のＡ−Ａ断面図、（ｃ）は（ａ）のＢ−Ｂ断面図である。
【図１０】従来の自毛活用型かつらの一例の構成を示す概略平面図である。
【符号の説明】
１０    自毛活用型かつら
１１    植毛フレーム
１２    毛髪（植毛）
１３，１１３，２１３    細線
１３ａ，１１３ａ    ループ
２１３ａ    芯材
２１３ｂ    熱収縮チューブ
２１３ｃ    突出部
１４    連結部材
１５    補助連結部材
１６    ネット材
１７    止着部材
２０    石膏頭型
２０ａ  溝
Ｈ      自毛
【図１】
0004753400.tif 000002
【図２】
0004753400.tif 000003
【図３】
0004753400.tif 000004
【図４】
0004753400.tif 000005
【図５】
0004753400.tif 000006
【図６】
0004753400.tif 000007
【図７】
0004753400.tif 000008
【図８】
0004753400.tif 000009
【図９】
0004753400.tif 000010
【図１０】
0004753400.tif 000011